(57)【要約】【課題】イオン発生と加湿機能の両方を持たせた加湿機能付きイオン発生機を提供し、加湿機能付きイオンイオン及び加湿における機能目的に対応できるように、目的に応じた制御をすることで、健康志向の生活環境を提案する。【解決手段】イオン発生部１０と加湿機能部１１とにそれぞれ必要とされる風路に効果的な位置・構造・機能を持たせることで、廉価で省スペースな加湿機能付きイオン発生機１が提供される。イオン発生部１０においては、イオン送風用モータ２０で駆動されるイオン送風用ファン２１の作用で空気取入れ口１２から取り入れられた空気は、イオン送風ダクト２３を通る際にイオン発生器２４から発生したイオンを含んで吹出し口１４から吹き出される。加湿機能部１１では、加湿送風用モータ３０で駆動される加湿送風用ファン３１の作用で取り入れられた空気が加湿フィルタ３６を通過する際に加湿されて吹出し口１５から吹き出される。【選択図】図５
2011094928.tif 000002
【特許請求の範囲】
【請求項１】
筐体内にイオン発生側と加湿機能側とが併置されており、前記イオン発生側と前記加湿機能側とがそれぞれ空気取入れ口から空気吹出し口に至る風路を備えていることを特徴とする加湿機能付きイオン発生機。
【請求項２】
前記イオン発生側の前記空気取入れ口と前記加湿機能側の前記空気取入れ口とは前記筐体の互いに反対する方向に面した面に開口していることを特徴とする請求項１記載の加湿機能付きイオン発生機。
【請求項３】
前記イオン発生側の前記空気取入れ口と前記加湿機能側の前記空気取入れ口とは、前記筐体の左右側面に各別に開口していることを特徴とする請求項２記載の加湿機能付きイオン発生機。
【請求項４】
前記イオン発生側の前記空気吹出し口と前記加湿機能側の加湿後の前記空気吹出し口とは、前記筐体の天面に開口していることを特徴とする請求項２又は３記載の加湿機能付きイオン発生機。
【請求項５】
前記イオン発生側の前記空気吹出し口と前記加湿機能側の加湿後の前記空気吹出し口とは、前記筐体の天面において左右に並んで配置されていることを特徴とする請求項４記載の加湿機能付きイオン発生機。
【請求項６】
前記イオン発生側の前記空気吹出し口に至る前記風路と前記加湿機能側の前記空気吹出し口に至る前記風路とは、前記筐体内において下方から上方へ且つ互いに隣接して延びて配置されていることを特徴とする請求項４又は５記載の加湿機能付きイオン発生機。
【請求項７】
前記イオン発生側が前記筐体内において占める領域は前記加湿機能側が前記筐体内において占める領域よりも大きく、前記加湿機能側の前記空気吹出し口に通じる前記風路は、前記筐体内の中央部に配置されていることを特徴とする請求項６記載の加湿機能付きイオン発生機。
【請求項８】
前記イオン発生側の前記風路にはイオン用送風モータと当該イオン用送風モータによって駆動されるイオン用送風ファンとが配設されており、前記加湿機能側の前記風路には加湿用送風モータと当該加湿用送風モータによって駆動される加湿用送風ファンとが配設されていることを特徴とする請求項１記載の加湿機能付きイオン発生機。
【請求項９】
前記イオン発生側の前記イオン用送風モータとイオン用送風ファンとは、前記イオン発生側の前記風路を形成するイオンケーシングに対して前記イオン発生側の前記空気取入れ口に臨む位置に取り付けられており、前記加湿機能側の前記加湿用送風モータは、前記加湿機能側の前記風路を形成する加湿ケーシングに対して前記加湿機能側の前記空気取入れ口に臨む位置に取り付けられていることを特徴とする請求項８記載の加湿機能付きイオン発生機。
【請求項１０】
前記イオン用送風モータの運転制御と前記加湿用送風モータの運転制御とは、互いに独立して制御されることを特徴とする請求項８又は９記載の加湿機能付きイオン発生機。
【請求項１１】
空気取入れ口と当該空気取入れ口に連通する複数の風路が内部に形成された筐体と、当該筐体内に配設されており前記空気取入れ口から吸い込んだ空気を前記各風路に送る送風機と、前記空気取入れ口に配設された集じんフィルタと、前記風路の前記送風機出口側に配設されたイオン発生器とを備えたイオン発生装置において、
前記イオン発生器は前記風路に臨んで配設されており、前記イオン発生器のイオン発生用の電極は前記各風路側に向けて配置されていることを特徴とするイオン発生機。
【請求項１２】
前記イオン発生器は、前記筐体の上方から前記筐体に対して着脱自在に取り付けたことを特徴とする請求項１１記載のイオン発生機。
【請求項１３】
前記イオン発生用の電極は、異なる面に配置されていることを特徴とする請求項１１記載のイオン発生機。
【請求項１４】
二つの前記送風機が設けられており、前記イオン発生器は前記各送風機の出口側にそれぞれ配設されており、前記イオン発生器は対応する前記送風機の動作にあわせて作動することを特徴とする請求項１１〜１３のいずれか一項記載のイオン発生機。
【請求項１５】
一つの前記風路について、給水装置と加湿フィルタで構成した加湿装置を配設したことを特徴とする請求項１１〜１４のいずれか一項記載のイオン発生機。
【発明の詳細な説明】
【技術分野】
【０００１】
この発明は、湿分を放出して加湿を行う機能と、イオンを発生する機能とを併せ持つ加湿機付きイオン発生機に関する。
【背景技術】
【０００２】
従来、健康指向の高まりから、ウィルス除去対策としてイオン発生機が主流となっている。また、ウィルスの活性化の抑制効果としては加湿器等による環境湿度の適正化が効果的であるのは周知の事実である。
【０００３】
加湿器とイオン発生機とは、それぞれよく知られた電気機器であるが、現在のところ、それぞれが別の製品として市場に提供されており、加湿とイオンの供給を同時に受けようとする使用者は、それぞれの機器を別々に購入して同時に使用しているのが実情である。しかしながら、加湿器とイオン発生機とを別々に購入したとしても、室内に両機器のそれぞれに相応するスペースを必要とし、両機器のためのそれぞれの電源を確保する必要や、湿分の供給方向とイオンの放出方向とをそれぞれの機器で個別に調節する必要があるなど、設置や使用について煩雑さが残る。
【０００４】
また、同じ室内で加湿器とイオン発生機とを併用している場合には、それぞれから放出される湿分やイオンが互いに無関係な別々な方向に供給されるのでは、両機能の使用者は両方の機能の恩恵を同時に受けることができない。
【０００５】
ここで両方の効果を期待する場合、別々に構成されたイオン発生機と加湿器とを同じ部屋に設置するか、または加湿機能側風路にイオン発生デバイス（ここでは、プラズマクラスターイオン発生装置）を設けることにより、ある程度の相乗効果が期待される。しかしながら、適正加湿による加湿側の風量（風速）の変化により、イオンの発生量が期待できない、という不満がある。
【０００６】
加湿機能の運転制御は、運転をＯＮとしても室内の湿度に応じて運転やその停止を繰り返す。即ち、部屋内において所定の湿度までの加湿が達成されると、通常は、暫くの間その湿度が維持されるので、加湿機能を低下又は停止する等の加湿機能の制御が行われる。湿度が所定の湿度から十分変化すると、目標湿度との偏差が大きくなり、加湿機が再び運転される。したがって、加湿機能の空気取入れ口からの空気の取入れは弱められる、或いは一時的に停止することもある。
【０００７】
これに対して、イオン発生機は、発生したイオンの寿命が湿度の変化が生じるまでのような十分長い寿命ではないので、運転中は常に連続した送風状態にしておく必要がある。したがって、イオン発生機と加湿機とでは風量制御において風量及びその風量が要求される時間等の要求される事項が異なっていて相容れないものであり、単純な組み合わせ、例えばイオン発生器を加湿器の出口風路に設置する、などというような対処では、こうした要求に応えることができないものである。
【０００８】
加湿機能の空気取入れ口とイオン発生のための空気取入れ口とを隣接して配置していると、互いの空気取入れ口での空気取り入れ状態に干渉が生じ、特に、イオン発生側で必要な風量が確保されない懸念がある。
また、イオン発生機と加湿機の両方の機能を組み込んだ場合には、設置スペースや価格の面で解決すべき課題があった。
更にまた、従来のイオン発生機は一つの風路で形成されている。そして、風路に設けられているイオン発生装置は、着脱自在に設けられている。上記のような方式は、一つの風路で形成したものは、大口径のファンが必要で幅の大きな製品となっていた。
【０００９】
図９及び図１０は、従来の加湿器の一例を示す正面断面図とその側面断面図である。加湿器５０においては、ファンモータ６０とそれによって駆動されるファン６１によって筐体５１の前面の空気取入れ口５２から空気が取り入れられる。取り入れられた空気は、塵埃除去用フィルタ５３によって塵埃が取り除かれた後、タンク５４から水の供給を受けるトレイ５５に置かれた加湿フィルタ５６を通過し、その際に気化する水分の供給を受けて加湿された空気を送風ダクト５７を通じて吹出し口５８から放出している。加湿フィルタ５６の近傍にはイオン発生器６２が設けられており、イオン発生器６２が発生させたイオンを加湿空気に含ませて放出するように工夫されている。
【００１０】
本出願人は、空気調和機の吹き出し口から座席までの距離や、ダクトの長さによるイオンの減衰を防いで、簡易に低コストで、イオンを座席周辺に優先的に高濃度で拡散することができるイオン発生装置を提供している（特許文献１参照）。このイオン発生装置は、送風機と、プラスイオンとマイナスイオンとを発生させるイオン発生器とを備え、イオン発生器は、建屋内の空間又は移動体内の空間に配置された座席に取り付けられるか、もしくは座席近傍に設置されている。
【先行技術文献】
【特許文献】
【００１１】
【特許文献１】特開２００７−２２９０６０号公報
【発明の概要】
【発明が解決しようとする課題】
【００１２】
そこで、加湿機能とイオン発生の機能とを併せ持つ機器が求められる。また、各機能の側で空気の取入れについて互いの干渉を無くすとともに、湿分とイオンとの放出の方向についても合理的な設定とする点で解決すべき課題がある。
この発明の目的は、上記課題を解決することであり、イオン発生と加湿機能の両方を持たせた加湿機能付きイオン発生機を提供することであり、また、こうした加湿機能付きイオンイオン及び加湿における機能目的に対応できるように、目的に応じた制御をすることで、健康志向の生活環境を提案することである。
更に詳細には、加湿機能とイオン発生機能とが両方機能しているときに空気の取入れについて互いの干渉がなく、各機能の側で必要な風量が確保され、且つ湿分とイオンの放出についても放出方向を合理的なものにする加湿機能とイオン発生機能とを併せ持つ加湿機付きイオン発生機を提供することである。
【課題を解決するための手段】
【００１３】
上記の課題を達成するため、この発明による加湿機能付きイオン発生機は、筐体内にイオン発生側と加湿機能側とが併置されており、前記イオン発生側と前記加湿機能側とがそれぞれ空気取入れ口から空気吹出し口に至る風路を備えていることを特徴としている。
【００１４】
この加湿機能付きイオン発生機において、前記イオン発生側の前記空気取入れ口と前記加湿機能側の前記空気取入れ口とは前記筐体の互いに反対する方向に面した面、例えば前記筐体の左右側面に、各別に開口させることができる。
また、この加湿機能付きイオン発生機において、前記イオン発生側の前記空気吹出し口と前記加湿機能側の加湿後の前記空気吹出し口とは、前記筐体の天面に開口させ、更に当該天面において左右に並んで配置させることができる。
更に、この加湿機能付きイオン発生機において、前記イオン発生側の前記空気吹出し口に至る前記風路と前記加湿機能側の前記空気吹出し口に至る前記風路とは、前記筐体内において下方から上方へ且つ互いに隣接して延びて配置することができ、また、前記イオン発生側が前記筐体内において占める領域を前記加湿機能側が前記筐体内において占める領域よりも大きくし、前記加湿機能側の前記空気吹出し口に通じる前記風路を、前記筐体内の中央部に配置することができる。
【００１５】
また、この発明による加湿機能付きイオン発生機は、筐体内にイオン発生側と加湿機能側とが併置され、前記イオン発生側と前記加湿機能側とがそれぞれ空気取入れ口から空気吹出し口に至る風路を備えているものにおいて、前記イオン発生側の前記風路にはイオン用送風モータと当該イオン用送風モータによって駆動されるイオン用送風ファンとを配設し、前記加湿機能側の前記風路には加湿用送風モータと当該加湿用送風モータによって駆動される加湿用送風ファンとを配設したことを特徴としている。
この発明による加湿機能付きイオン発生機によれば、イオン発生風路側にイオン発生に必要な風量（風速）を確保する送風モータと当該送風モータによって駆動される送風ファンとを設けて、イオン発生に最適な制御を行い、また、加湿機能側には適正湿度を確保する送風モータ及び当該送風モータによって駆動される送風ファンとを設けて、イオン発生側風路と加湿機能側とでそれぞれ独立した制御ができる。
【００１６】
更に、この加湿機能付きイオン発生機において、前記イオン発生側の前記イオン用送風モータを、前記イオン発生側の前記風路を形成するイオンケーシングに対して前記イオン発生側の前記空気取入れ口に臨む位置に取り付け、前記加湿機能側の前記加湿用送風モータを、前記加湿機能側の前記風路を形成する加湿ケーシングに対して前記加湿機能側の前記空気取入れ口に臨む位置に取り付けることができ、また、前記イオン用送風モータの運転制御と前記加湿用送風モータの運転制御とを、互いに独立して制御することができる。
【００１７】
更にまた、この発明によるイオン発生機は、空気取入れ口と当該空気取入れ口に連通する複数の風路が内部に形成された筐体と、当該筐体内に配設されており前記空気取入れ口から吸い込んだ空気を前記各風路に送る送風機と、前記空気取入れ口に配設された集じんフィルタと、前記風路の前記送風機出口側に配設されたイオン発生器とを備えており、前記イオン発生器は前記風路と他の前記風路の間において配設されており、前記イオン発生器のイオン発生用の電極は前記各風路側に向けて配置されていることを特徴としている。
【００１８】
このイオン発生機において、前記イオン発生器を、前記筐体の上方から前記筐体に対して着脱自在に取り付けることができ、前記イオン発生用の電極を異なる面に配置し、そして、二つの前記送風機を設けて、前記イオン発生器を前記各送風機の出口側にそれぞれ配設し、前記イオン発生器を対応する前記送風機の動作にあわせて作動させることができる。また、一つの前記風路について、給水装置と加湿フィルタで構成した加湿装置を配設することもできる。
【発明の効果】
【００１９】
この発明による加湿機能付きイオン発生機は上記のように構成されているので、イオン発生機能と加湿機能に必要な風路を独立させ、且つ風路を効果的な位置・構造・機能を持たせることにより、それぞれの機能を十分発揮することができ、廉価で省スペースな製品を提供することができる。また、この加湿機能付きイオン発生機によれば、イオン発生と加湿機能とを同じ筐体内に備えているので、持ち運び際にも二つの機能をまとめて移動させることができるとともに、各別に風路が備わっているのでそれぞれが互いに干渉することなく個別に作動させることができ、室内の環境を健康志向に整えることができる。
また、この加湿機能付きイオン発生機によれば、機器の背面を部屋の壁に接近させて配置することができる。その際、空気取入れ口のある左右側面を開けておくことで、部屋の壁部近くに設置可能となり、部屋のスペースを友好的に利用することができる。
更に、イオン発生機能側及び加湿機能側の空気吹出し口を同じ風向位置にすることにより、イオンの吹出し方向と、加湿空気の吹出し方向とが、風向ルーバによって同じ風向に制御することにより、イオンと加湿とのより効果的な環境を実現することができる。
加湿側の加湿後の空気をイオンケーシングと加湿ケーシングで製品中央部に風路を形成することで、空間の有効・活用ができ商品のコンパクト化を図ることができる。
【００２０】
また、この発明による加湿機能付きイオン発生機によれば、イオン発生機能と加湿機能に必要な風路を独立させることにより、それぞれの機能を十分発揮でき、廉価で省スペースな加湿機能付きイオン発生機を提供することができる。
【００２１】
更に、このイオン発生機によれば、本体内に室内空気を送る送風機を設けるとともに複数の風路を形成し、吸い込み口に集じんフィルタと、送風機の出口側にイオン発生器とを備え、風路と他の風路の間にイオン発生器を配設し、イオン発生用の電極を各風路側に向けて形成したで構成されているので、設置条件に合わせてそれぞれの送風機の風量や風向を変えて動作ができ、イオン分布のよい運転をさせることができる。
また、異なる面にイオン発生用の電極を有したイオン発生器をイオン発生機の上方へ着脱自在に取り付けているので、交換などのメンテナンスを容易にすることができる。
また、二つの送風機を有するイオン発生機の送風機の風路に、イオン発生用の電極を有するイオン発生器が、それぞれの送風機の動作にあわせて作動するようにしているので、騒音や消費電力等を低減し、効率よくイオンの放出をすることができる。
また、一方の送風経路に給水装置と加湿フィルタで構成した加湿装置を有することにより、イオンの放出と加湿をすることができ、更に、イオン発生と加湿の風路が独立しているため、イオン発生と加湿の独立をしたきめ細かな制御で使用性が良くなる。
【図面の簡単な説明】
【００２２】
【図１】本発明による加湿機能付きイオン発生機を加湿機能側の後方上側から見た斜視図である。
【図２】本発明による加湿機能付きイオン発生機をイオン発生側の後方上側から見た斜視図である。
【図３】図１及び図２に示す加湿機能付きイオン発生機の前後及び左右、並びに頂面から見た図である。
【図４】図１及び図２に示す加湿機能付きイオン発生機のイオン発生側を示す縦断面図である。
【図５】図１及び図２に示す加湿機能付きイオン発生機のイオン発生側と加湿機能側とを横切る方向に切断した縦断面図である。
【図６】図１及び図２に示す加湿機能付きイオン発生機の加湿機能側を示す縦断面図である。
【図７】図１及び図２に示す加湿機能付きイオン発生機側と加湿機能側とを左右に分けて説明する説明図である。
【図８】本発明による加湿機能付きイオン発生機から吹き出される気流の様子を模式的に示す図である。
【図９】従来の加湿器の一例を示す正面断面図である。
【図１０】図９に示す加湿器の側面断面図である。
【発明を実施するための形態】
【００２３】
以下、添付した図面に基づいて、この発明による加湿機能付きイオン発生機の実施例を説明する。図１は本発明による加湿機能付きイオン発生機を加湿機能側の後方上側から・見た斜視図であり、図２は図１に示す加湿機能付きイオン発生機をイオン発生側の後方上側から見た斜視図である。図３は図１及び図２に示す加湿機能付きイオン発生機の前後及び左右、並びに頂面から見た図である。図４は図１及び図２に示す加湿機能付きイオン発生機のイオン発生側を示す縦断面図、図５は図１及び図２に示す加湿機能付きイオン発生機のイオン発生側と加湿機能側とを横切る方向に切断した縦断面図、図６は図１及び図２に示す加湿機能付きイオン発生機の加湿機能側を示す縦断面図、図７は図１及び図２に示す加湿機能付きイオン発生機をイオン発生側と加湿機能側とを左右に分けて説明する説明図である。
【００２４】
図３の（ａ）は図１及び図２に示す加湿機能付きイオン発生機の正面図であり、同（ｂ）はイオン発生側を示す右側面図、同（ｃ）は加湿機能側を示す左側面図、（ｄ）は背面図、（ｅ）は頂面図である。図１〜図３に示す加湿機能付きイオン発生機１は、横断面形状が角を丸めた略正方形で且つ全体として上に向かうに従って僅かに窄み形状に形成された角柱状のケースを呈する筐体２を有している。図に筐体２の前面３及び後面４は平坦面となっており、右側面５及び左側面６にはそれぞれ後述するように空気取入れ口１２，１３が開口している。筐体２の底部には、適宜形状の四つの足部８が設けられている。
【００２５】
筐体２の頂面７には、加湿機能付きイオン発生機１のための操作部９が設けられている。操作部９は、イオン発生部１０と加湿機能部１１とをそれぞれ独立して操作することができるように設けられている。
【００２６】
加湿機能付きイオン発生機１の正面右側には、イオン発生側としてのイオン発生部１０が配設されており、正面左側には加湿機能側としての加湿機能部１１が配設されている。イオン発生部１０のための空気取入れ口１２が筐体２の右側面５に開口しており、加湿機能部１１のための空気取入れ口１３が筐体２の左側面６に開口している。空気取入れ口１２と空気取入れ口１３の配置は、筐体２の互いに反対方向を向いた側面に開口する配置となっているので、各側でのモータ−ファン（後述する）による空気取入れ口１２と空気取入れ口１３での空気の取り込みは互いに影響されることがなく、したがって、イオン発生と加湿のそれぞれの機能に干渉することがない。
【００２７】
筐体１のフラットに形成されている頂面７には、イオン発生部１０からイオンを含む気流を吹出すための吹出し口１４と、加湿機能部１１から湿分を含んだ気流を放出するための吹出し口１５とが形成されている。イオン発生部１０のための吹出し口１４と加湿機能部１１のための吹出し口１５とは、イオン発生部１０と加湿機能部１１とが設けられる側に対応して、それぞれ正面右側及び正面左側に配置されている。吹出し口１４，１５の頂面７における開口形状（四角）及び開口面積は、風量の設定上、同じ大きさとするのが好ましい。
【００２８】
加湿器から吐出される湿分を含む気流と、イオン発生機から放出されるイオンを多量に含む気流とは、例えば、室内において使用者が居る方向に向けて同じ方向に吹き出すのが好ましい。したがって、吹出し口１４，１５は、頂面７において左右に並べて配置されている。また、吹出し口１４，１５には、気流の放出方向を案内するルーバ１９（図５参照）を設けてよく、ルーバ１９の方向についても吹出し口１４，１５で同じ方向に設定するのが好ましい。図示の例では、吹出し口１４，１５は、筐体１の背面側に寄った位置に配置されているが、これに限ることなく、前後方向の中間部等の位置に変更可能である。ルーバ１９については更に、方向を可変にしてもよく、またルーバ１９を備えた案内アダプタを吹出し口１４，１５に脱着可能としてもよい。
【００２９】
イオン発生部１０については、その詳細が図４、及び図５の右側に示されている。図４及び図５に示すように、イオン発生部１０は、筐体１内において、空気取入れ口１２に連なる開口が形成されている外側のイオンケーシングＡ１６と、イオンケーシングＡ１６に対向して筐体１の内部中心側に配置されているイオンケーシングＢ１７とで囲まれて形成されている。両イオンケーシング１６，１７間に形成される下部空間２２には、イオン送風用モータ２０と、このイオン送風用モータ２０で回転駆動されるイオン送風用ファン２１とが、イオンケーシングＢ１７に支持される態様で配設されている。筐体１の空気取入れ口１２には、人の手や指或いは異物が侵入して危険な状態となるのを防止するため、吸込みガード１８が張設されている。
【００３０】
両イオンケーシング１６，１７間には、吹出し口１４に向かって上方に延びるイオン送風ダクト２３が形成されている。イオン送風用モータ２０は、送風ダクト２３の配置に合わせて効率的な送風を行うため、空気取入れ口１２側から見て左回りに回転するように設定されている。送風ダクト２３にはイオン発生器２４がイオンケーシングＡ１６に嵌め込み装着される態様で配設されている。イオン発生器２４は、筐体１の上方から、送風ダクト２３を通してイオンケーシングＡ１６に着脱自在に取り付けることができる。イオン発生器２４が発生させたイオンは、イオン送風ダクト２３を流れる空気の流れによって吹出し口１４から室内へと供給される。
【００３１】
加湿機能部１１は、その詳細が図５の左側及び図６に示されている。図５及び図６に示すように、加湿機能部１１は、筐体１内において、空気取入れ口１３に連なる開口が形成されている外側の加湿ケーシングＡ２６と、加湿ケーシングＡ２６に対向して筐体１の内部中心側に配置されている加湿ケーシングＢ２７とを含む構造とされている。両加湿ケーシング２６の上部は、筐体１の左側面６との間に空間３７を形成しており、この空間３７内には、加湿送風用モータ３０が加湿ケーシングＡ２６に支持される態様で配設されている。両加湿ケーシング２６，２７間には、吹出し口１５に向かって上方に延びる送風ダクト３３が形成されている。加湿送風用モータ３０の出力回転軸３０ａは加湿ケーシングＡ２６を貫通して送風ダクト３３内に突出しており、この出力回転軸３０ａには加湿送風用ファン３１が取り付けられており、加湿送風用モータ３０は送風ダクト３３内で加湿送風用ファン３１を回転駆動する。筐体１の空気取入れ口１３には、人の手や指或いは異物が侵入して危険な状態となるのを防止するため、吸込みガード２８が張設されている。
【００３２】
加湿ケーシングＡ２６の下部空間３２には加湿用水トレイ３４が配設されており、加湿用水タンク３５から加湿用水が加湿用水トレイ３４に供給される。加湿用水トレイ３４には加湿フィルタ３６が設けられており、加湿フィルタ３６が吸い上げた加湿用水は、加湿送風用モータ３０−加湿送風用ファン３１によって空気取入れ口１３から吸い込まれた空気が下部空間３２において加湿フィルタ３６を通過する際に、湿分となって空気に含まれることになり、このようにして加湿された空気は送風ダクト３３を通って吹出し口１５から室内等に放出される。
【００３３】
加湿用水トレイ３４と加湿フィルタ３６とを設けるために、加湿機能部１１はイオン発生部１０よりも幅広に構成される。したがって、加湿ケーシングＢ２７は筐体１の左右中央よりもイオン発生部１０側に寄った位置に設けられており、その結果、送風ダクト３３は筐体１の中央部分を筐体１の底部近傍から筐体１の頂面７の近傍まで延びている。吹出し口１５は筐体１の頂面７の左半分に形成されているので、加湿送風用ファン３１によって送風ダクト３３内を吸い込んで送られる気流は左側に寄せられた後に吹出し口１５に向かう。加湿送風用モータ３０は、送風ダクト２７の配置に合わせて効率的な送風を行うため、空気取入れ口１３側から見て右回りに回転するように設定されている。
【００３４】
図７は、本発明による加湿機能付きイオン発生機を、右側のイオン発生部１０側と加湿機能部１１側とで並べて示す図である。イオン発生部１０側と加湿機能部１１側とで、取り入れられた空気の流れが矢印で示されている。各部１０，１１の構造は、図４〜図６に詳細を示したとおりであるので、再度の説明を省略する。
【００３５】
図８は、本発明による加湿機能付きイオン発生機１から吹き出される気流の様子が模式的に描かれている。図では、イオン発生部１０から吹き出される気流３８と加湿機能部１１から加湿機能付きイオン発生機１の後方に向かって吹き出される気流３９とが分かれていくように描かれているが、加湿機能付きイオン発生機１の前方に向かって、又は両気流が混合されるように吹き出されるように構成しても勿論構わない。そのようにすることによって双方の気流が一つの流れを形成してより遠くまで加湿空気とイオンを届かせることが可能である。また、ルーバ１９によって吹出し方向を変更してもよいことは明らかである。
【００３６】
図示の例ではイオン発生器が設けられるイオン発生部１０は一つのイオン発生部として設けられていたが、こうした構造に代えて、二つの送風機を設け、イオン発生器を各送風機の出口側にそれぞれ配設し、各イオン発生器を対応する送風機の動作にあわせて作動させてもよい。この場合、一つの風路について、給水装置と加湿フィルタで構成した加湿装置を配設することができる。なお、イオン発生用の電極は、異なる面に配置させることができる。
【符号の説明】
【００３７】
１  加湿機能付きイオン発生機          ２  筐体
３  前面                              ４  後面
５  右側面                            ６  左側面
７  頂面                              ８  足部
９  操作部
１０  イオン発生部                      １１  加湿機能部
１２，１３  空気取入れ口                １４，１５  吹出し口
１６  イオンケーシングＡ                １７  イオンケーシングＢ
１８  吸込みガード                      １９  ルーバ
２０  イオン送風用モータ                ２１  イオン送風用ファン
２２  下部空間                          ２３  イオン送風ダクト
２４  イオン発生器
２６  加湿ケーシングＡ                  ２７  加湿ケーシングＢ
２８  吸込みガード
３０  加湿送風用モータ                  ３１  加湿送風用ファン
３２  下部空間                          ３３  送風ダクト
３４  加湿用水トレイ                    ３５  加湿用水タンク
３６  加湿フィルタ                      ３７  空間
３８，３９  気流
【図１】
2011094928.tif 000003
【図２】
2011094928.tif 000004
【図３】
2011094928.tif 000005
【図４】
2011094928.tif 000006
【図５】
2011094928.tif 000007
【図６】
2011094928.tif 000008
【図７】
2011094928.tif 000009
【図８】
2011094928.tif 000010
【図９】
2011094928.tif 000011
【図１０】
2011094928.tif 000012